(57)【特許請求の範囲】
【請求項１】
接続される電線の接続端部を受け入れる電線挿入孔(２,３)が形成され、かつ同電線挿入孔の内部に連絡した小さなコンパウンド抜け穴(４,５)を周面に形成した直線スリーブ(１Ａ)と、
可撓性のあるシートで袋状に作られ、コンパウンド抜け穴(４,５)から外部に押し出されるコンパウンドを回収するためのコンパウンド回収袋(８Ａ)と、を備えた電線接続具であって、
コンパウンド回収袋(８Ａ)は、コンパウンド抜け穴(４,５)の間隔(Ｌ1 )よりも大きな幅(Ｌ2 )のシートを２つ折として、両側辺シーム(９ａ,９ｂ)で閉じて袋状に成形されたもので、その開口部には互いに切り離された一対の開口部フラップ(８ａ,８ｂ)を備え、
開口部フラップ(８ａ,８ｂ)の内面には粘着のり(１０)がそれぞれ塗布されて、コンパウンド抜け穴(４,５)をコンパウンド回収袋(８Ａ)の内部に位置させた状態で、直線スリーブ１Ａの外周面にコンパウンド回収袋(８Ａ)の開口部フラップ(８ａ,８ｂ)を一時的に貼着して、この状態で電線接続を行い、
電線接続後に、開口部フラップ(８ａ,８ｂ)を直線スリーブ(１Ａ)から外して、コンパウンドが内部に溜まったコンパウンド回収袋(８Ａ)を回収する、ことを特徴とする電線接続具。
【請求項２】
接続される電線の接続端部を受け入れる電線挿入孔(２,３)が形成され、かつ同電線挿入孔の内部に連絡した小さなコンパウンド抜け穴(４,５)を周面に形成した直線スリーブ(１Ｂ)と、
可撓性のあるシートで袋状に作られ、コンパウンド抜け穴(４,５)から外部に押し出されるコンパウンドを回収するためのコンパウンド回収袋(８Ｂ)と、を備えた電線接続具であって、
コンパウンド回収袋(８Ｂ)は、コンパウンド抜け穴(４,５)の間隔(Ｌ1 )よりも大きな幅(Ｌ2 )のシートを２つ折として、両側辺シーム(９ａ,９ｂ)で閉じて袋状に成形したもので、その開口部には互いに分離可能な一対の開口部フラップ(８ａ,８ｂ)を備え、
開口部フラップ(８ａ,８ｂ)は、直線スリーブ(１Ｂ)の周壁(１ｄ)の外周面全体を覆うことができる上下方向長さ(Ｌ4 )とされ、開口部フラップ(８ａ,８ｂ)の先端部寄りの内面には、コンパウンド回収袋(８Ｂ)の幅方向に延長したシームファスナ(１２ａ,１２ｂ)がそれぞれ一体成形されており、
このシームファスナ(１２ａ,１２ｂ)は、開口部フラップ(８ａ,８ｂ)の先端部寄りの互いの内面に一体成形されていて、開口部フラップ(８ａ,８ｂ)の先端部のつまみ部(８ｃ)を左右から扱うことでその開口部フラップ(８ａ,８ｂ)を前記直線スリーブ(１Ｂ)の周壁(１ｄ)の外周面を覆って固定させることができ、また、そのつまみ部(８ｃ)を左右に引いて分離させて外すことができる、シームのファスナ手段であり、
開口部フラップ(８ａ,８ｂ)のシームファスナ(１２ａ,１２ｂ)を用いて、直線スリーブ(１Ｂ)にコンパウンド回収袋(８Ｂ)を固定して、この状態で電線接続を行い、
電線接続後に、開口部フラップ(８ａ,８ｂ)のシームファスナ(１２ａ,１２ｂ)を分離させて、直線スリーブ(１Ｂ)からコンパウンド回収袋(８Ｂ)を外して、コンパウンドが内部に溜まったコンパウンド回収袋(８Ｂ)を回収する、ことを特徴とする電線接続具。
【請求項３】
接続される電線の接続端部を受け入れる電線挿入孔(２,３)が形成され、かつ同電線挿入孔の内部に連絡した小さなコンパウンド抜け穴(４,５)を周面に形成した直線スリーブ(１Ｃ)と、
可撓性のあるシートで袋状に作られ、コンパウンド抜け穴(４,５)から外部に押し出されるコンパウンドを回収するためのコンパウンド回収袋(８Ｃ)と、を備えた電線接続具であって、
コンパウンド回収袋(８Ｃ)は、コンパウンド抜け穴(４,５)の間隔(Ｌ1 )よりも大きな幅(Ｌ2 )のシートが２つ折りされた形状からなり、両側辺シーム(９ｃ,９ｄ)と底辺シーム(９ｅ)とで閉じて袋状に成形され、その上部にはループ状開口部(８ｅ)が形成され、
ループ状開口部(８ｅ)は直線スリーブ(１Ｃ)の周壁(１ｄ)の外周面よりも長いループ長(Ｌ5 )をもち、ループ状開口部(８ｅ)にはコンパウンド回収袋(８Ｃ)の幅方向に延長したミシン目線(１３)が形成され、
コンパウンド回収袋(８Ｃ)のループ状開口部(８ｅ)に直線スリーブ(１Ｃ)を通して用いられ、
電線接続時に直線スリーブ(１Ｃ)のコンパウンド抜け穴(４,５)から外部に流出するコンパウンドをコンパウンド回収袋(８Ｃ)の内部に回収し、その後、ミシン目線(１３)を破断させて、直線スリーブ(１Ｃ)からコンパウンド回収袋(８Ｃ)を外す、ことを特徴とする電線接続具。
【発明の詳細な説明】
【０００１】
【発明の属する技術分野】
本発明は電線の接続具に関し、特に、金属直線スリーブを用いた電線接続具に関する。
【０００２】
【従来の技術】
周知のように、送配電線等の架線工事においては、送電線の端部間を継なぐ場合、図６に示すような金属直線スリーブＡを用いる。即ち、この直線スリーブＡは例えばアルミニウム、銅等の軽量の良電導体からなるもので、接続される電線の接続端部Ｂ1 ，Ｂ2 を受け入れる電線挿入孔ａ1 ，ａ2 を内部に形成された中空部材として作られる。つまり、この直線スリーブＡを用いて電線の接続端部Ｂ1 ，Ｂ2 を接続するには、水分の侵入、腐食の防止、電気的・機械的性質の向上等のため、電線挿入孔ａ1 ，ａ2 にコンパウンドを充填し、電線の接続端部Ｂ1 ，Ｂ2 をこれらの電線挿入孔ａ1 ，ａ2 に挿入した後、両端部の部分から直線スリーブＡの複数箇所を順にダイスで機械的に圧縮変形させ、電線の接続端部Ｂ1 ，Ｂ2 を直線スリーブＡに一体化することにより両電線を接続する。
【０００３】
【発明が解決しようとする課題】
ところで、ダイスによる圧縮工程では、直線スリーブＡの内部に予め充填された余剰のコンパウンドは、電線を挿入する際や圧縮作業中に、直線スリーブＡの長さ方向中央部分に形成されたコンパウンド抜け穴ａ3 から勢いよく外部に押し出されることになるが、コンパウンド抜け穴ａ3 から噴出するコンパウンドで作業員の作業衣が汚損されることが多い。つまり、直線スリーブＡを用いた送配電線等の接続作業は、鉄塔、電柱等の高所や不安定な作業場で行われるのが普通であるので、作業員の作業空間や作業姿勢が制約されるから、作業員は勢いよくコンパウンド抜け穴ａ3 から押し出されるコンパウンドを避けるのが難しく、コンパウンド抜け穴ａ3 から周囲に飛散するコンパウンドを浴びてしまう。勿論、コンパウンド抜け穴ａ3 から飛散するコンパウンドにより作業員の作業衣ばかりでなく、他の工具等も汚染され、作業後の洗浄作業もやっかいになる。
【０００４】
本発明の目的は、以上に述べたような直線スリーブを用いた電線の接続作業の現状に鑑み、直線スリーブの圧縮変形工程でコンパウンド抜け穴から噴出するコンパウンドにより作業員の作業衣等が汚損されることがない電線接続具を得るにある。
【０００５】
【課題を解決するための手段】
本発明によれば、この目的は、接続される電線の接続端部を受け入れる電線挿入孔を形成されかつ同電線挿入孔の内部に連絡した小さなコンパウンド抜け穴を周面に形成した直線スリーブと、可撓性のあるシートで袋状に作られかつ前記コンパウンド抜け穴を包囲した状態として上端開口部を前記直線スリーブの周面に固定できるコンパウンド回収袋とを備えた電線接続具により達成される。
【０００６】
後述する本発明の第１実施例においては、前記コンパウンド回収袋は内面に塗布された粘着のりで前記直線スリーブの外周面に一時的に固定できる一対の開口部フラップを備える構造が説明される。
【０００７】
また、後述する本発明の第２実施例及び第３実施例の説明においては、前記コンパウンド回収袋は互いの内面に成形するシームファスナで前記直線スリーブの外周を覆った状態で直線スリーブに固定できる一対の開口部フラップを備える構造、及び、前記コンパウンド回収袋は内部に前記直線スリーブを貫通状態にできるループ状開口部を備え、同ループ状開口部には容易に破断できるミシン目線が形成された構造が説明される。
【０００８】
【実施例】
以下、図１から図５について本発明の実施例の詳細を説明する。
図１から図３は本発明の第１実施例による電線接続具を示し、この電線接続具においても、例えばアルミニウム等から構成される直線スリーブ１Ａが用いられる。即ち、この直線スリーブ１Ａは両端に向かってそれぞれ解放されかつ隔壁１ａで仕切られた一対の電線挿入孔２，３を内部に形成された中空棒状に作られるもので、各電線挿入孔２，３の内部には前記隔壁１ａに最寄りの位置に小さなコンパウンド抜け穴４，５が形成され、これらのコンパウンド抜け穴４，５を介して外部に連絡されている。したがって、各電線挿入孔２，３に対しては、接続される電線の接続端部６，７が、図１に示すように、それぞれ挿入され、両端部寄りの部分から直線スリーブ１Ａの周壁をダイスで圧縮変形することにより、直線スリーブ１Ａを介して両電線が接続される。
【０００９】
また、第１実施例の場合、図３に詳細を示した小型のコンパウンド回収袋８Ａが用いられ、このコンパウンド回収袋８Ａの内部にコンパウンド抜け穴４，５から噴出したコンパウンドが回収される。図示のコンパウンド回収袋８Ａは前記コンパウンド抜け穴４，５の間隔Ｌ1 よりも充分に大きな幅Ｌ2 のプラスチック製シート（例えば、ポリプロピレン製、塩化ビニル製などのシート）を２つ折として両側辺シーム９ａ，９ｂで袋状に成形したもので、その開口部には互いに切り離された一対の開口部フラップ８ａ，８ｂを備えている。
【００１０】
そして、これらの開口部フラップ８ａ，８ｂの内面には先端のつまみ部８ｃを残して粘着のり１０がそれぞれ塗布され、同内面間にコンパウンド回収袋８Ａの幅Ｌ2 と同じかそれよりも長い長さＬ3 の短冊状剥離紙１１が介装され、同剥離紙１１を除去することにより、図２に示すように、コンパウンド抜け穴４，５をコンパウンド回収袋８Ａの内部に位置させた状態で直線スリーブ１Ａの外周面にコンパウンド回収袋８Ａの開口部フラップ８ａ，８ｂを一時的に貼着できる。
【００１１】
第１実施例による電線接続具は、以上のような構造であるから、可撓性のあるコンパウンド回収袋８Ａの開口部フラップ８ａ，８ｂから剥離紙１１を剥離し、直線スリーブ１Ａのコンパウンド抜け穴４，５を包囲した状態としてコンパウンド回収袋８Ａの開口部フラップ８ａ，８ｂを直線スリーブ１Ａの周壁１ｄの外周面に貼着して作業を行えばよい。即ち、直線スリーブ１Ａの電線挿入孔２，３に接続される電線の接続端部６，７を挿入する際、電線挿入孔２，３に予め充填されたコンパウンドの一部がコンパウンド抜け穴４，５から流出するけれども、この余剰コンパウンドはコンパウンド回収袋８Ａの内部に溜る。
次に、周壁１ｄの両端部寄りの部分からダイスで直線スリーブ１Ａを圧縮変形させる工程では、この圧縮変形に伴って、勢いよくコンパウンドがコンパウンド抜け穴４，５から噴出することになるが、コンパウンド抜け穴４，５の周囲がコンパウンド回収袋８Ａで覆われているので、噴出したコンパウンドは、周囲に飛散することなく、コンパウンド回収袋８Ａの内部に回収されるから、噴出コンパウンドで作業員の作業衣等が汚損されるのを防止できる。
【００１２】
また、電線の接続後にあっては、つまみ部８ｃを掴んで引けば、両開口部フラップ８ａ，８ｂを直線スリーブ１Ａから容易に外すことができる。この場合、両開口部フラップ８ａ，８ｂの内面には粘着のり１０が塗布されているから、両粘着のり１０を合わせると、コンパウンド回収袋８Ａの開口部が自然に密封されるため、コンパウンド回収袋８Ａを回収運搬して廃棄処理できる利点もある。
【００１３】
図４は本発明の第２実施例による電線接続具の図２相当断面図であり、この実施例の特徴は、コンパウンド回収袋８Ｂの開口部フラップ８ａ，８ｂの先端部寄りの内面に一体成形されたシームファスナ１２ａ，１２ｂを用いる点にある。即ち、コンパウンド回収袋８Ｂの両開口部フラップ８ａ，８ｂは、直線スリーブ１Ｂの周壁１ｄの外周面全体を覆うことができる上下方向長さＬ4 とされ、同開口部フラップ８ａ，８ｂの先端部寄りの内面にはコンパウンド回収袋８Ｂの幅方向に延長したシームファスナ１２ａ，１２ｂがそれぞれ一体成形される。
【００１４】
第２実施例による電線接続具は、以上のような構造であるので、直線スリーブ１Ｂのコンパウンド抜け穴４，５に対応した外周面を覆った状態としてコンパウンド回収袋８Ｂの開口部フラップ８ａ，８ｂを周壁１ｄに被せ、同開口部フラップ８ａ，８ｂのシームファスナ１２ａ，１２ｂに指先を当てて左右から扱うことで、扱う直線スリーブ１Ｂにコンパウンド回収袋８Ｂを固定できるから、第１実施例の場合と同様に、コンパウンド抜け穴４，５から流出したコンパウンドをコンパウンド回収袋８Ｂの内部に回収できる。直線スリーブ１Ｂからコンパウンド回収袋８Ｂを外すには、つまみ部８ｃを掴んで図４の左右に引けば、両開口部フラップ８ａ，８ｂに一体成形したシームファスナ１２ａ，１２ｂが簡単に分離するので、作業終了後にコンパウンド回収袋８Ｂを外して回収できるのは、改めて指摘するまでもない。扱う
【００１５】
図５は本発明の第３実施例における直線スリーブ１Ｃとコンパウンド回収袋８Ｃとの関係を示し、この実施例におけるコンパウンド回収袋８Ｃは、両側辺及び底辺をシーム９ｃ，９ｄ，９ｅで閉じ、上部にループ状開口部８ｅを形成してある。即ち、このループ状開口部８ｅは、前記直線スリーブ１Ｃの周壁１ｄの外周面よりも僅かに長いループ長Ｌ5 をもつもので、同ループ状開口部８ｅにはコンパウンド回収袋８Ｃの幅方向に延長したミシン目線１３が形成してある。
【００１６】
第３実施例のコンパウンド回収袋８Ｃは、以上のような構造であるから、コンパウンド回収袋８Ｃのループ状開口部８ｅに直線スリーブ１Ｃを通して用いられる。つまり、作業に先立ってコンパウンド回収袋８Ｃのループ状開口部８ｅに直線スリーブ１Ｃを通しておくことで、直線スリーブ１Ｂのコンパウンド抜け穴４，５から外部に流出するコンパウンドを、コンパウンド回収袋８Ｃの内部に回収できるが、コンパウンド回収袋８Ｃの一側下部を摘んで下方に引くと、ミシン目線１３が容易に破断するから、直線スリーブ１Ｃからコンパウンド回収袋８Ｃを簡単に外せる。
【００１７】
前記実施例においては、コンパウンド回収袋８Ａ，８Ｂ，８Ｃとして樹脂シートからなるものを例示したけれども、本発明はこれに限定されるものではなく、例えばアルミ箔、紙片、布片等のシートで構成してもよい。
【００１８】
【発明の効果】
以上の説明から明らかなように、本発明の電線接続具によれば、直線スリーブとコンパウンド回収袋との組み合わせにより飛散したコンパウンドで作業員の作業衣等が汚損されることなく、作業を遂行できる。また、コンパウンドを回収したコンパウンド回収袋は、作業終了後に簡単に直線スリーブから外せるから、コンパウンド回収袋を集めて廃棄処理できるので、環境汚染の防止効果もある。
【図面の簡単な説明】
【図１】一部を切欠いて示す本発明の第１実施例による電線接続具の正面図である。
【図２】図１の１−１線に沿う拡大断面図である。
【図３】本発明の第１実施例で用いる回収袋の一部切欠き斜視図である。
【図４】本発明の第２実施例の図２相当拡大断面図である。
【図５】本発明の第３実施例による電線接続具の分解斜視図である。
【図６】一部を切欠いて示す従来の電線接続具の正面図である。
【符号の説明】
１Ａ〜１Ｃ        直線スリーブ
２，３            電線挿入孔
４，５            コンパウンド抜け穴
８Ａ〜８Ｃ        コンパウンド回収袋
８ａ，８ｂ        開口部フラップ
８ｅ              ループ状開口
１０              粘着のり
１１              剥離紙
１２ａ，１２ｂ    シームファスナ
１３              ミシン目線
【図１】
0003884806.tif 000002
【図２】
0003884806.tif 000003
【図３】
0003884806.tif 000004
【図４】
0003884806.tif 000005
【図５】
0003884806.tif 000006
【図６】
0003884806.tif 000007